(57)【要約】【課題】  追従性の良い細かな操作（アクション）が可能な湖底用ルアーを提供することにある。【解決手段】  略板状のルアー本体が、略平坦で湖底と接する接底部と、接底部の前端部に、釣り糸を取り付けるライン取付孔が穿設され、湖底からの角度が約３０度〜３５度になるように起立する先端リップ部とを備え、また、ルアー本体の接底部の後端部に、接底部から起立する羽根部を備え、ルアー本体が側面視で略椀状であることを特徴とする。【選択図】図１
0003147827.tif 000002
【実用新案登録請求の範囲】
【請求項１】
湖の湖底に沈めて魚を誘う湖底用ルアーにおいて、
略板状のルアー本体が、
略平坦で該湖底と接する接底部と、
該接底部の前端部に、釣り糸を取り付けるライン取付孔が穿設され、該湖底からの角度が約３０度〜３５度になるように起立する先端リップ部とを備えることを特徴とする湖底用ルアー。
【請求項２】
前記ルアー本体の接底部の後端部に、該接底部から起立する羽根部を備え、
該ルアー本体が側面視で略椀状であることを特徴とする請求項１記載の湖底用ルアー。
【請求項３】
前記ライン取付孔が釣り針の取付孔を兼ね、前記ルアー本体の上面側に釣り針を縛止し、
該ルアー本体の略椀状の曲線が、該釣り針の湾曲に沿っていることを特徴とする請求項２記載の湖底用ルアー。
【考案の詳細な説明】
【技術分野】
【０００１】
本考案は、湖等の湖底に沈めて魚を誘う湖底用ルアーに関する。
【背景技術】
【０００２】
従来より、釣りに用いられるルアーとしては、多くの形が提案され用いられてきた。例えば、金属の板材で形成されたルアーとしては、特許文献１に示されるようなものがある。この特許文献１に示されたルアーは、一枚の平板状のもので、一端に釣り糸であるラインを結ぶ取付孔と、他端に針を取り付ける取付孔が穿設されている。
【０００３】
また、ルアーにも種類があり、特に湖の湖底に沈めて魚を誘う湖底用ルアーがある。この湖底用ルアーは、図５（ａ）に示すように、ルアー本体２２を湖底ｂに接するように沈めて使用する。従来の湖底用ルアー２０には、図５に示すように、板状で、前端にラインｗが接続されるライン取付部２４を有し、後端に向かって山成になりさらに後ろに向かって谷折りされているものがある。湖底用ルアー２２では、図５（ａ）の湖底ｂに沈んだ状態から、ラインｗを水面ｓ方向に引いてルアー本体２２を上下にアクションさせる場合、図５（ｂ）に示すように、ラインｗを引いた最初の段階では、ルアー本体２２が湖底ｂに接した状態のまま、ライン取付部２４だけが揺動して持ち上がることになる。この動作は、特許文献１のルアーでも同様である。
【特許文献１】特開２００４−２６７０２３号公報
【考案の開示】
【考案が解決しようとする課題】
【０００４】
しかしながら、従来の湖底用ルアー２２では、ラインｗを引いて上下にアクションをさせようとすると、最初にはライン取付部２４のみが上昇し（図５（ｂ）のＢ分）、ルアー本体２２が湖底ｂから離れて上昇せず、ラインｗを引いたにもかかわらず、ルアー本体２２を持ち上げる時間的なロスが生じ、反応性の良い操作を行うことが困難である。すなわち、水中で細かなアクションをさせようとしても伝達が遅れて、操作性が悪い。
【０００５】
本考案は、このような事情に鑑みてなされたもので、追従性の良い細かな操作（アクション）が可能な湖底用ルアーを提供することにある。
【課題を解決するための手段】
【０００６】
請求項１記載の湖底用ルアーは、略板状のルアー本体が、略平坦で湖底と接する接底部と、接底部の前端部に、釣り糸を取り付けるライン取付孔が穿設され、湖底からの角度が約３０度〜３５度になるように起立する先端リップ部とを備えることを特徴とする。尚、湖底用ルアーとは、湖の湖底で用いられる場合に限らず、河川、海等の底に沈めて魚を誘うルアーを含む。
【０００７】
請求項２記載の湖底用ルアーは、ルアー本体の接底部の後端部に、接底部から起立する羽根部を備え、ルアー本体が側面視で略椀状であることを特徴とする。
【０００８】
請求項３記載の湖底用ルアーは、ライン取付孔が釣り針の取付孔を兼ね、ルアー本体の上面側に釣り針を縛止し、ルアー本体の略椀状の曲線が、釣り針の湾曲に沿っていることを特徴とする。
【考案の効果】
【０００９】
請求項１の考案によれば、釣り糸が取り付けられる先端リップル部が、湖底からの角度が約３０度〜３５度になるように起立していることから、ラインの操作に即座に反応するようにルアー本体が浮き上がってアクションし、追従性の良い細かな操作（アクション）が可能となる。
【００１０】
請求項２の考案によれば、ルアー本体が側面視で略椀状であることから、湖底に沈下するときに、水の抵抗を受けてゆっくりと、また左右に揺れるような動作をすることから、この左右へのアクションにより魚を誘い易くなる。
【００１１】
請求項３の考案によれば、ルアー本体の上面側に釣り針を縛止することから、ルアー本体が湖底をずっても釣り針による根掛かりがおきにくく、また、ルアー本体の略椀状の曲線が釣り針の湾曲に沿っていることから、釣り針がルアー本体の浮き上がりのアクションを疎外しにくく、追従性の良い細かな操作が可能となる。
【考案を実施するための最良の形態】
【００１２】
以下、本考案の形態について図面を参照しながら具体的に説明する。本考案の形態における湖底用ルアーは、湖の湖底に沈めて魚を誘うものである。尚、湖底に限らず、川底に沈めて用いるようにしてもよい。図１は、本考案に係る湖底用ルアーの一例を示す側面図である。図２は、同湖底用ルアーの底面図である。図３は、同湖底用ルアーの後方面図である。図４は、同湖底用ルアーの使用の様子を示す説明図である。
【００１３】
図において、本実施例の湖底用ルアー１は、人工湖、人工池等の釣り堀の他、河川、海、天然湖等の湖底（底）に沈めて魚を誘うルアーである。湖底用ルアー１は、略板状のルアー本体１０が、略平坦で湖底ｂと接する接底部１２と、接底部１２の前端部に設けられ湖底ｂからの角度が約３０度〜３５度になるように起立する先端リップ部１４とを備えている。また、先端リップ部１４には、釣り糸であるラインｗを取り付けるライン取付孔１６が穿設されている。さらに、ルアー本体１０の接底部１２の後端部に、接底部１２から起立する羽根部１８を備え、ルアー本体１０が側面視で略椀状になっている。尚、ルアー本体１０は、板状のルアーとしての強度を有していればよく、例えば真鍮を曲折したもので、必要に応じて着色するようにする。
【００１４】
次に、湖底用ルアー１の使用方法を説明する。まず、湖の水面ｓにラインｗに結ばれたルアー本体１０を投げ入れる。そして、湖底ｂに居付く魚を捕るために、湖底ｂまでルアー本体１０を沈める（図４（ａ））。ルアー本体１０が略椀状になっていることから、沈下するにあたっては、水の抵抗を受けてゆっくりと、また左右に揺れるような動作をすることになる。この左右へのアクションにより魚を誘い易くなる。そして、ルアー本体１０の接底部１２を、湖底ｂに着地した状態にする。この状態で、湖底ｂと先端リップ部１４との角度が約３０度〜３５度である（図４（ａ）の角度Ａ）。
【００１５】
そして、ルアー本体１０を上にアクションさせるためにラインｗを引くと、水面ｓの下のラインｗの角度と先端リップ部１４との成す角度が少なく一直線上に近いことから、ラインｗの引きに合わせてルアー本体１０全体が浮き上がることになる（図４（ａ））。すなわち、ラインｗを引くと、湖底ｂからルアー本体１０が浮き上がるロスが抑えられた状態で、ラインｗの操作に即座に反応するようにルアー本体１０がアクションする。すなわち、追従性の良い細かな操作（アクション）が可能となる。さらに、ルアー本体１０が浮き上がると、水面ｓより上のラインｗと水面ｓより下のラインｗとの成す角度も減り一直線上に近づき、より一層、ラインｗの引きがルアー本体１０に伝わり、追従性のよいアクションコントロールが可能となる。
【００１６】
尚、本実施例の湖底用ルアー１のルアー本体１０の先端リップ部１４のライン取付孔１６を、釣り針の取付孔を兼ねるように使用することも可能で、この場合には、ルアー本体１０の上面側に釣り針を縛止するようにする。ルアー本体１０の上面側に釣り針を縛止することで、ルアー本体１０が湖底をずっても釣り針による根掛かりがおきにくくなる。また、釣り針が、ルアー本体１０から上向きになりやすく、ルアー本体１０に魚が当たったと同時に、釣り針が即座に魚の口に掛かることになる。さらに、ルアー本体１０の上に釣り針がくることで、魚の口先に釣り針が掛かりやすく、釣り針による魚のダメージを抑えることができる。さらに、ルアー本体１０の略椀状の曲線を、釣り針の湾曲に沿うように形成することで、釣り針がルアー１０本体の浮き上がりのアクションを疎外しにくく、追従性の良い細かな操作（アクション）が可能となる。
【産業上の利用可能性】
【００１７】
以上のように、本考案によれば、追従性の良い細かな操作（アクション）が可能な湖底用ルアーを提供することができる。
【図面の簡単な説明】
【００１８】
【図１】本考案に係る湖底用ルアーの一例を示す側面図である。
【図２】同湖底用ルアーの底面図である。
【図３】同湖底用ルアーの後方面図である。
【図４】同湖底用ルアーの使用の様子を示す説明図である。
【図５】従来の湖底用ルアーの使用の様子を示す説明図である。
【符号の説明】
【００１９】
１・・・・湖底用ルアー
１０・・・ルアー本体
１２・・・接底部
１４・・・先端リップ部
１６・・・ライン取付孔
１８・・・羽根部
【図１】
0003147827.tif 000003
【図２】
0003147827.tif 000004
【図３】
0003147827.tif 000005
【図４】
0003147827.tif 000006
【図５】
0003147827.tif 000007